(57)【要約】【課題】  簡単な構造でありながら、その装飾性を失うことなく、従来の欠点を遍く除去した装身具を提供すること。【解決手段】  紐状の装身具本体の一端を弦巻バネのような巻取り部材に固着し、他端をこの巻取り部材を収容するケースに固着してなる。【選択図】図１
2008061913.tif 000002
【特許請求の範囲】
【請求項１】
紐状の装身具本体の一端を弦巻バネのような巻取り部材に固着し、他端をこの巻取り部材を収容するケースに固着したことを特徴とする環状装身具。
【請求項２】
上記装身具本体と、巻取り部材間に可撓性紐部材を介在させたことを特徴とする上記請求項１に示した環状装身具。
【請求項３】
上記請求項３の可撓性紐部材は複数であることが特徴の上記請求項２に示した環状装身具。
【請求項４】
紐状の装身具本体と複数の弦巻バネのような巻取り部材とよりなり、上記装身具本体の一端を一方の巻取り部材に、他端を他方の巻取り部材に固着したことを特徴とする環状装身具。
【請求項５】
上記装身具本体と、複数の巻取り部材間にはそれぞれに可撓性紐部材を介在させたことを特徴とする上記請求項４に示した環状装身具。
【請求項６】
上記請求項３の可撓性紐部材は複数であることが特徴の上記請求項５に示した環状装身具。
【発明の詳細な説明】
【技術分野】
【０００１】
この発明は、主としてネックレス，ブレスレット，アンクレット，及びバレッタなどの環状装身具の改良に関する。
【背景技術】
【０００２】
従来の上記のような環状装身具として、仮令えばネックレスなどは直線状のチェーンの一端に雄止め具を、他端には雌止め具を設け、まず一方の手の指先で雌止め具を持ち、次いで上記直線状部を首に捲き付け、雌雄止め具を連結させることで、環状の装身具とする手段であった。
【０００３】
しかしこの手段は、腕を後ろにまわし上げたり、小さな止め金の継合部分金具を感覚で探し当てて止め外したりするという動作は所謂大変おっくうで、長時間かかっても一人では容易に出来ない難しい動作である。
【０００４】
その解決策としては、ネックレスの場合は首の径より相当広い径の環状装身具とすれば、かかる装身具を頭方向から容易に首に装備し易いか、あるいは、かかる装身具を首に廻した後でもその両端にある止め具が見える位置におくことができ、連結し易い。
【０００５】
しかし、ネックレスを首によくフィットした状態に捲き付けるには、首の径より近い径とするのがベターであり、垂れ下がったネックレスは見た目が良くない。
【０００６】
要は、ネックレス自身の径が自由に拡大，縮小すればよいのであり、その目的のため従来二本の装身用鎖をケーシング内に弾性体を充填してなるそれぞれ各別の端部自在留具の貫通孔に挿通させて該弾性体で押付けられた状態に貫通させ、これら装身用鎖のそれぞれの一端に相互に係止自在な係止金具を取付け、これら装身用鎖のそれぞれの他端を互いに他方の装身用鎖が貫通した端部自在留具に固定し、これら端部自在留具間の２本の装身用鎖に１又は２以上の中間部自在留具を貫通させたことを特徴とするフリーサイズ装身具[特許文献１参考]の考案がある。
【０００７】
しかし、この考案は、常に二本の重なり合った部分のある装身用鎖が必要で、見た目もよくなく、材料費が嵩む欠点がある。
【０００８】
また、特にブレスレットのような装身具の場合は、両手を使うことが不可能であるため、片手で仮令えば、雌雄止め具に雄止め具を差し込む作業が要求されるが、この手段も前記同様長時間費やしてもなかなか連結させることができない。
【０００９】
このため、ブレスレットや腕時計など直接装着する場合の欠点を除去するものとして、リング状のリストバンド本体と、両端部をリストバンド本体１の周面に縫いつけた一対の止め具とで着脱具を構成する。止め具は、リストバンド本体の軸線と平行に設け、その長さはリストバンド本体の長さとほぼ等しくする。
【００１０】
リストバンド本体は、リング状のゴムバンドを木綿製の織布内に縫い込んだものとし、止め具は、ゴムバンドをポリエステル製の織布内に縫い込んだものとする。この着脱具の使用に際しては、あらかじめ腕時計を止め具に通してリストバンド本体に固定し、この状態でリストバンド本体を手腕に装着し、次いで腕時計の尾錠、中留め等をセットするものである。腕時計を外すには、これと逆の手順に従えばよいとの発明[特許文献１参考]がある。
【００１１】
しかし、この手段は専ら実用面の見地からなされたもので、装身具の装着手段としてはあまりにも体裁が悪く、不向きである。
【００１２】
【特許文献１】登録実用新案第３０６２２１１号公報
【特許文献２】特開平８−２９９０３５
【発明の開示】
【発明が解決しようとする課題】
【００１３】
本発明の目的は、簡単な構造でありながら、その装飾性を失うことなく、上記従来の欠点を遍く除去したことにある。
【課題を解決するための手段】
【００１４】
而して本発明の特徴とするところは、紐状の装身具本体の一端を弦巻バネのような巻取り部材に固着し、他端をこの巻取り部材を収容するケースに固着したことである。
【００１５】
他に本発明の特徴は上記装身具本体と、巻取り部材間に可撓性紐部材を介在させたことである。
【００１６】
そしてこの可撓性紐部材は複数であることも本発明の特徴となっている。
【００１７】
さらに本発明の特徴は紐状の装身具本体と複数の弦巻バネのような巻取り部材とよりなり、上記装身具本体の一端を一方の巻取り部材に、他端を他方の巻取り部材に固着したことにもある。
【００１８】
そして、上記装身具本体と、複数の巻取り部材間にはそれぞれに可撓性紐部材を介在させたこともその特徴である。
【００１９】
この場合、この可撓性紐部材は複数であることも本発明の特徴である。
【発明の効果】
【００２０】
以上のように本発明は、紐状の装身具本体の一端を弦巻バネのような巻取り部材に固着し、他端をこの巻取り部材を収容するケースに固着したから、たとえば該収容ケースを一方の手の指先で摘み、他方の手の指先で装身具本体を摘み、それぞれ外方向に引っ張れば、装身具本体（１）の長さ即ち径を拡大させることができるので、たとえば小径の首廻りと同径の装身具本体でも頭部を経て首部に簡単に装着できるのである。
【００２１】
また、上記装身具本体と、巻取り部材間に可撓性紐部材を介在させたから、ケース内の収容が容易でそれだけケースを小型化でき、ケースの出し入れもスムーズなものとなし得たのである。
【００２２】
またこの可撓性紐部材は複数とすることで、仮令えばその一本が切れるようなことがあっても、装身具本体が落下して紛失するような虞をなくしたのである。
【００２３】
そして上記紐状の装身具本体と弦巻バネのような巻取り部材とを複数設け、それぞれの装身具本体の一端を一方の巻取り部材に、他端を他方の巻取り部材に固着したものは、その巻取り部材の線出し量が単数のものに比べて1／２とすることができ、そのことは上記と同様の可撓性紐部材を設けても同じである。
【発明を実施するための最良の形態】
【００２４】
本発明の最良の実施例をネックレスとして図１乃至図５と示した。即ち、図で（１）は金属からなる紐状の装身具本体で、その長さは首廻りの径より同じか、あるいはやや長い。（２）は弦巻バネ（３）のような巻取り部材（４）を内装した箱状のケースで、該ケース（２）は図示のものでは、円盤状であるが、できるだけ径が装身具本体（１）に装着した際でも違和感なく、はたまたその形状も円盤に限らず図１２のようにハート形状とするなど、各種の工夫がなされる事が肝要である。而して上記装身具本体（１）の一端はケース（２）の外壁に固着する。
【００２５】
一方装身具本体（１）の他端は、図３及び図４に示すように、可撓性の紐部材からなる接続紐（５）の外端にリング（６）を介して連結する。
【００２６】
この連続紐（５）は、肌触りがよく、かつ強靭な糸で、特に弾性がある部材で作られるのが好ましい。そしてこの接続紐（５）の内端は、前記弦巻バネ（３）の開放端に連結されている。この弦巻バネ（３）は通常の市販されている弦巻状のもので、内端がケース（２）の中心軸（７）に固着され、常時はこの中心軸（７）に巻き取られるような弾性力を有する。
【００２７】
いまこのネックレスからなる装身具本体（１）を首に掛ける場合、接続紐（５）は弦巻バネ（３）の力で、図４のようにケース（２）内に収容された状態にある。
【００２８】
ここで図６のように一方の手の指（８）でケース（２）を摘み、他方の手の指（９）で装身具本体（１）の一端をつまんで、接続紐（５）をケースより繰出すと、かかる接続紐（５）の長さ分だけネックレスの装身具（１）の長さが長くその分だけ径が大きくなる。従ってネックレスの装身具（１）は使用者の頭から首部に容易に移行させ得るものでかつ、かかる首部に於て接続紐（５）の引っ張りを解除すれば、ネックレスだけの装身具（１）を首に簡単に装着できると言うものである。
【００２９】
また図７乃至１０は他の実施例を示す。それは図８に示すように、前記ケース（２）内にそれぞれの内端は中心軸（７）に固着し、外端はそれぞれの外方向に延びる一対の弦巻バネ（３）を設けたもので、それぞれの外端は接続紐（５）（５）を介して、ネックレスのような装身具本体（１）の両端に固着させたものである。
【００３０】
而して、常時は図９接続紐（５）（５）がケース（２）内に収容されているが、この装身具本体（１）を首に捲装するときは、図７のように前記両手の指（８）（９）で、ケース（２）の両端にある装身具本体（１）を摘み、それぞれの外方向に引っ張ると、装身具本体（１）の長さ、即ち、径は大きくなり、頭から首部に簡単に装身具を装着出来ると言うものである。そしてこの実施例では、弦巻バネ（３）（３）を2個一対装着したものであるから、先の１つの弦巻バネ（３）を設けた場合との比較に於て、接続紐（５）（５）をケース（２）から繰出す量が１／２で済む事になる。
【００３１】
なお、図１１に示すように、上記ケース（２）内の中心軸を２個設け、前記弦巻バネ（３）（３）のそれぞれをこの中心軸（７）（７）に設けるようにしてもよい。
【図面の簡単な説明】
【００３２】
【図１】装身具とケースと弦巻バネの配置を示す平面状横断面説明図
【図２】同断面説明図
【図３】接続紐の繰出し状態を示す作用説明図
【図４】同繰出し前の作用説明図
【図５】弦巻バネの作用説明図
【図６】図２の横断作用説明図
【図７】他の実施例に於ける接続紐の繰出し横断説明図
【図８】同弦巻バネの作用説明図
【図９】同接続紐を繰出す以前の平面状縦断説明図
【図１０】同繰出し後の作用説明図
【図１１】他の実施例に於ける弦巻バネの配置説明図
【図１２】他の実施例のケース説明図
【符号の説明】
【００３３】
１  装身具本体
２  ケース
３  弦巻バネ
４  巻取り部材
５  接続紐
６  リング
７  中心軸
８  手の指
９  手の指
【図１】
2008061913.tif 000003
【図２】
2008061913.tif 000004
【図３】
2008061913.tif 000005
【図４】
2008061913.tif 000006
【図５】
2008061913.tif 000007
【図６】
2008061913.tif 000008
【図７】
2008061913.tif 000009
【図８】
2008061913.tif 000010
【図９】
2008061913.tif 000011
【図１０】
2008061913.tif 000012
【図１１】
2008061913.tif 000013
【図１２】
2008061913.tif 000014